(57)【特許請求の範囲】
【請求項１】
（Ａ）火山噴出物発泡体および（Ｂ）無機アルカリ性物質を、（Ａ）と（Ｂ）の重量比［（Ａ）：（Ｂ）］が１：０．０１〜１：０．５となるように含有する組成物を含有してなる、家畜用敷料であって、無機アルカリ性物質が、アルカリ金属の水酸化物、アルカリ土類金属の水酸化物、ケイ酸のアルカリ金属塩、ケイ酸のアルカリ土類金属塩、炭酸のアルカリ金属塩および炭酸のアルカリ土類金属塩からなる群より選択される１種または２種以上である、家畜用敷料。
【請求項２】
火山噴出物発泡体が、シラス発泡体、黒曜石発泡体および真珠岩発泡体からなる群より選択される少なくとも１種である、請求項１に記載の家畜用敷料。
【請求項３】
無機アルカリ性物質が、水酸化ナトリウム、水酸化カリウム、水酸化マグネシウム、水酸化カルシウム、ケイ酸ナトリウム、ケイ酸カリウム、ケイ酸マグネシウム、ケイ酸カルシウム、炭酸ナトリウム、炭酸カリウム、炭酸マグネシウムおよび炭酸カルシウムからなる群より選択される少なくとも１種である、請求項１または２に記載の家畜用敷料。
【請求項４】
（Ａ）火山噴出物発泡体および（Ｂ）無機アルカリ性物質を含有する組成物が、二酸化炭素により固化されている、請求項１〜３のいずれか１項に記載の家畜用敷料。
【請求項５】
（Ａ）火山噴出物発泡体および（Ｂ）無機アルカリ性物質を含有する組成物が粉状または粒状である、請求項１〜４のいずれか１項に記載の家畜用敷料。
【請求項６】
（Ａ）火山噴出物発泡体および（Ｂ）無機アルカリ性物質を含有する組成物の平均粒子径が５０μｍ〜１，０００μｍである、請求項５に記載の家畜用敷料。
【請求項７】
分娩舎、保温箱および肥育舎の少なくとも１箇所において使用される、請求項１〜６のいずれか１項に記載の家畜用敷料。
【発明の詳細な説明】
【技術分野】
【０００１】
本発明は、家畜の疾病予防を目的として使用される家畜用敷料に関する。
【背景技術】
【０００２】
従来、牛舎、豚舎、厩舎等家畜舎において、快適かつ清潔な環境下で家畜を飼育すべく、家畜の飼育に供される床面に、家畜用敷料が用いられてきた。
かかる家畜用敷料としては、稲わら、麦桿、おが屑、籾殻、木材チップ、バーク、樹皮、紙、ヤシ殻チップ、リサイクル堆肥、砂、パルプスラッジ等の各種材料が用いられているが、家畜の糞尿等により汚染され、大腸菌群等の微生物が増殖し、下痢等の疾病を誘発する場合がある。
大腸菌群等による下痢等の発生は、特に養豚業において生産性の悪化につながる。
【０００３】
また、コロナウイルス等のウイルスによる疾病の発生も、問題となる。たとえば、豚流行性下痢（ＰＥＤ）は、２０１３年１０月に沖縄県で、１１月に茨城県で発見されて以来、今日まで流行が続いている。外国でも、米国をはじめカナダなどで、多大な感染被害が報告されている。ＰＥＤは、コロナウイルス科（Coronaviridae）アルファコロナウイルス属（Alphacoronavirus）に属するＰＥＤウイルスが病原体で、主に糞便を介して経口感染し、汚染器具を介した感染もあるといわれる。ＰＥＤには、すべての日齢の豚が罹患するが、特に若齢豚で症状が重篤化しやすく、哺乳豚での死亡率は１００％に達することがある。若齢豚におけるＰＥＤの全国規模の流行は、養豚業の経営を圧迫する。
【０００４】
牛、馬、豚などの家畜は、生まれてから１〜２ヶ月の期間が非常に大事であり、この時期に健康を維持させることができれば、生産効率が非常に高くなる。このような事案に即刻対応できるものはないか、様々な角度から研究開発がなされている。
【０００５】
大腸菌群等の細菌に対する抗菌作用を付与した家畜用敷料としては、たとえば、コーヒー抽出粕と、水分含量が２０％以下のおが屑を含有する家畜飼育用敷料（特許文献１）や、敷料基材に、キトサンと抗菌性銀とを含浸させた動物飼育用消臭抗菌敷料（特許文献２）が提案されており、ウイルス感染防止効果を付与した家畜用敷料としては、多孔構造を有する無機酸化物の粒子の表面及び細孔に、光触媒機能を有する微粒子が担持されてなる砂状粒子から構成される家畜・家禽用敷料（特許文献３）が提案されている。
【０００６】
しかし、家畜の糞尿等の吸収性に優れ、皮膚等に対する刺激性が低いとともに、粉じんの発生等、取扱いにおける問題が少なく、さらに、大腸菌等の細菌やウイルスに対して、十分な抗菌作用および抗ウイルス作用を示し、簡便かつ安価に調製できる家畜用敷料が望まれている。
【先行技術文献】
【特許文献】
【０００７】
【特許文献１】特開２００５−２８７３６９号公報
【特許文献２】特開２００９−１２４９５２号公報
【特許文献３】特開２０１３−１０６５６１号公報
【発明の概要】
【発明が解決しようとする課題】
【０００８】
そこで、本発明は、大腸菌等の細菌に対する抗菌活性および抗ウイルス活性に優れ、特に子豚等、若齢期の家畜の疾病による肥育効率の低下を飛躍的に改善し得る家畜用敷料を提供することを目的とする。
【課題を解決するための手段】
【０００９】
本発明者は、火山噴出物発泡体および無機アルカリ性物質を含有する機能性材料組成物が、二酸化炭素および揮発性有機化合物吸着能や調湿機能を有することをすでに開示している（特開２０１３−６３８６６号公報）。今回、上記課題を解決すべく鋭意研究した結果、火山噴出物発泡体と無機アルカリ性物質との混合重量比を１：０．０１〜１：０．５とした組成物を家畜用敷料に用いることにより、大腸菌等の細菌やウイルスを除去する機能が高まることを見出し、本発明を完成するに至った。
【００１０】
すなわち本発明は、以下の通りである。
［１］（Ａ）火山噴出物発泡体および（Ｂ）無機アルカリ性物質を、（Ａ）と（Ｂ）の重量比［（Ａ）：（Ｂ）］が１：０．０１〜１：０．５となるように含有する組成物を含有してなる、家畜用敷料。
［２］火山噴出物発泡体が、シラス発泡体、黒曜石発泡体および真珠岩発泡体からなる群より選択される少なくとも１種である、［１］に記載の家畜用敷料。
［３］無機アルカリ性物質が、水酸化ナトリウム、水酸化カリウム、水酸化マグネシウム、水酸化カルシウム、ケイ酸ナトリウム、ケイ酸カリウム、ケイ酸マグネシウム、ケイ酸カルシウム、炭酸ナトリウム、炭酸カリウム、炭酸マグネシウムおよび炭酸カルシウムからなる群より選択される少なくとも１種である、［１］または［２］に記載の家畜用敷料。
［４］（Ａ）火山噴出物発泡体および（Ｂ）無機アルカリ性物質を含有する組成物が、二酸化炭素により固化されている、［１］〜［３］のいずれかに記載の家畜用敷料。
［５］（Ａ）火山噴出物発泡体および（Ｂ）無機アルカリ性物質を含有する組成物が粉状または粒状である、［１］〜［４］のいずれかに記載の家畜用敷料。
［６］（Ａ）火山噴出物発泡体および（Ｂ）無機アルカリ性物質を含有する組成物の平均粒子径が５０μｍ〜１，０００μｍである、［５］に記載の家畜用敷料。
［７］分娩舎、保温箱および肥育舎の少なくとも１箇所において使用される、［１］〜［６］のいずれかに記載の家畜用敷料。
【発明の効果】
【００１１】
本発明によれば、大腸菌等の病原性細菌に対する抗菌活性および抗ウイルス活性に優れ、家畜の疾病の予防効果が高く、吸水性および揮発性有機化合物等の吸着性が良好で、臭気の抑制効果にも優れる家畜用敷料を提供することができる。
また本発明の家畜用敷料は、簡便に製造でき、火山噴出物を使用するため安価に提供することができる。
さらに、本発明の家畜用敷料は、堆肥化を阻害しないため、堆肥としての再利用にも適する。
【図面の簡単な説明】
【００１２】
【図１】図１は、実施例２の家畜用敷料に用いられる組成物について、二酸化炭素吸着性の評価結果を示す図である。
【図２】図２は、実施例２の家畜用敷料に用いられる組成物について、揮発性有機化合物吸着性の評価結果を示す図である。
【発明を実施するための形態】
【００１３】
本発明の家畜用敷料は、（Ａ）火山噴出物発泡体および（Ｂ）無機アルカリ性物質を、（Ａ）と（Ｂ）の重量比（［Ａ］：［Ｂ］）が１：０．０１〜１：０．５となるように含有する組成物（以下、「本発明の敷料用組成物」と称することもある）を含有してなる。
【００１４】
本発明の敷料用組成物において用いる（Ａ）火山噴出物発泡体は、火山噴出物の細粒や粉末を７００℃〜１，１００℃程度、好ましくは８５０℃〜１,０００℃程度に加熱して発泡させることにより得られる。
上記火山噴出物発泡体の調製に用いる火山噴出物は、火山活動の際に地表に噴出した物質であり、火山灰、火山礫等の火山砕屑物などが含まれる。本発明の目的には、火山噴出物として、シラス、軽石、ボラ土、黒曜石、真珠岩等が好ましく用いられる。なかでもシラス、黒曜石、真珠岩がより好ましい。
【００１５】
本発明においては、（Ａ）火山噴出物発泡体として、上記した火山噴出物の細粒や粉末の発泡体より１種または２種以上を選択して用いることができるが、なかでもシラスを発泡させたシラス発泡体（シラスバルーン）、黒曜石の発泡体（パーライト）および真珠岩の発泡体（パーライト）が好ましく、敷料用組成物の多孔性を保持するための強度に優れる点で、シラス発泡体がより好ましい。
【００１６】
本発明の敷料用組成物に用いる（Ａ）火山噴出物発泡体の平均粒子径は、通常シラス発泡体で５μｍ〜３００μｍ、黒曜石発泡体で５０μｍ〜３，０００μｍ、真珠岩発泡体で５０μｍ〜３，０００μｍであり、好ましくはシラス発泡体で３０μｍ〜２００μｍ、黒曜石発泡体で５０μｍ〜３００μｍ、真珠岩発泡体で５０μｍ〜３００μｍである。
なお、上記平均粒子径は、後述する篩い分け法で測定し、算出した値である。
【００１７】
本発明の敷料用組成物において用いる（Ｂ）無機アルカリ性物質としては、水酸化ナトリウム、水酸化カリウム等のアルカリ金属の水酸化物、水酸化マグネシウム、水酸化カルシウム等のアルカリ土類金属の水酸化物、ケイ酸ナトリウム、ケイ酸カリウム等のケイ酸のアルカリ金属塩、ケイ酸マグネシウム、ケイ酸カルシウム等のケイ酸のアルカリ土類金属塩、炭酸ナトリウム、炭酸カリウム等の炭酸のアルカリ金属塩、炭酸マグネシウム、炭酸カルシウム等の炭酸のアルカリ土類金属塩等が挙げられ、これらより、１種を選択して単独で、または２種以上を混合して用いてもよい。
本発明の目的には、（Ｂ）無機アルカリ性物質として、ケイ酸のアルカリ金属塩が好ましく用いられ、ケイ酸ナトリウムおよびケイ酸カリウムがより好ましく用いられる。
なお、（Ｂ）無機アルカリ性物質は、粉末の状態で用いてもよく、水溶液として用いてもよい。
【００１８】
本発明の敷料用組成物は、（Ａ）火山噴出物発泡体および（Ｂ）無機アルカリ性物質を、（Ａ）と（Ｂ）の重量比（［Ａ］：［Ｂ］）が１：０．０１〜１：０．５となるように含有する。前記（Ａ）と（Ｂ）の重量比（［Ａ］：［Ｂ］）は、１：０．０２〜１：０．４であることが好ましく、１：０．０２〜１：０．３であることがより好ましい。
（Ａ）火山噴出物発泡体に対する（Ｂ）無機アルカリ性物質の重量比（［Ｂ］／［Ａ］）が０．０１よりも小さいと、抗菌活性および抗ウイルス活性が低下し、好ましくない。一方、（Ａ）火山噴出物発泡体に対する（Ｂ）無機アルカリ性物質の重量比（［Ｂ］／［Ａ］）が０．５よりも大きいと、家畜用敷料を食べた家畜に食欲不振や腸への悪影響が生じるおそれがあり、また、コストアップになり、経済性の面で好ましくない。
【００１９】
本発明の敷料用組成物には、本発明の特徴を損なわない範囲で、さらに活性炭、木炭、竹炭等の吸着剤等を添加することができる。
また、本発明の敷料用組成物は、容器、袋体等に投入、密封し、炭酸ガスを注入して固化させたものでもよい。
本発明の敷料用組成物は、粒状、粉末状、顆粒状、ゲル状等の固形状の形態とすることが好ましく、粒状または粉末状とすることがより好ましい。
粒状または粉末状である敷料用組成物の平均粒子径は、後述する篩い分け法により測定し算出した値で通常５０μｍ〜１，０００μｍであり、好ましくは１００μｍ〜５００μｍであり、より好ましくは１５０μｍ〜３００μｍである。
【００２０】
本発明の敷料用組成物は、（Ａ）火山噴出物発泡体と（Ｂ）無機アルカリ性物質とを、上記重量比にて混合し、場合により他の吸着剤等の添加成分を添加、混合した後、必要に応じて乾燥、粉砕、造粒、整粒等を行って調製することができる。
【００２１】
（Ａ）火山噴出物発泡体と（Ｂ）無機アルカリ性物質、あるいはさらに他の添加成分の混合は、粉粒体の混合に用いられる一般的な混合方法により行うことができ、水平円筒型混合機、Ｖ型混合機、二重円錐型混合機、揺動回転型混合機、単軸リボン型混合機、複軸パドル型混合機、回転働型混合機、円錐スクリュー型混合機等の各種混合機、混合攪拌機等を用いて行う。
【００２２】
上記混合物の粉砕は、一般的な粉砕方法により行うことができ、混合時における（Ｂ）無機アルカリ性物質の状態により、乾式粉砕、湿式粉砕のいずれをも用いることができる。すなわち、（Ｂ）無機アルカリ性物質を固体状で混合する場合には、乾式粉砕が好ましく採用され、水溶液の状態で混合する場合には、湿式粉砕が好ましく採用される。
乾式粉砕としては、ジェットミル粉砕およびメカノケミカル粉砕が挙げられ、湿式粉砕としては、コロイドミル粉砕が挙げられる。
【００２３】
上記混合物の造粒は、一般的な造粒方法により行うことができ、混合時における（Ｂ）無機アルカリ性物質の状態により、乾式造粒、湿式造粒のいずれをも用いることができる。すなわち、（Ｂ）無機アルカリ性物質を固体状で混合する場合には、乾式造粒が好ましく採用され、水溶液の状態で混合する場合には、湿式造粒が好ましく採用される。
乾式造粒としては、スラッグ法、ローラーコンパクター法等が挙げられ、湿式造粒としては、撹拌混合造粒法、噴霧乾燥造粒法、流動層造粒法、転動造粒法、転動流動層造粒法、押し出し造粒法等が挙げられる。
【００２４】
上記混合物の整粒についても、一般的な整粒方法を採用することができる。かかる整粒方法としては、摩砕整粒、分級機能付解砕整粒、破砕整粒、湿式連続整粒、回転式遠心砕塊整粒、高速又は低速回転型整粒、球形整粒等が挙げられる。
【００２５】
上記混合物の乾燥は、風乾、天日乾燥等、自然乾燥により行うことが好ましい。
【００２６】
本発明の敷料用組成物の上記調製方法において、（Ａ）火山噴出物発泡体および（Ｂ）無機アルカリ性物質、ならびに必要に応じて他の添加成分を混合し、必要により乾燥、粉砕、造粒等を行った後、プラスチック製等の容器や袋体等に投入して密閉し、炭酸ガスを注入して反応させることにより、固化させることができる。
特に、（Ｂ）無機アルカリ性物質として、ケイ酸ナトリウム、ケイ酸カリウム等のケイ酸のアルカリ金属塩を、水溶液の状態で用いた場合には、（Ａ）火山噴出物発泡体との混合物を炭酸ガスと反応させて固化させることにより、敷料用組成物の強度および分散性が向上し、他の敷料材との混合も容易となるため、好ましい。
【００２７】
本発明の敷料用組成物は、そのままで、またはおが屑、木材チップ、籾殻、稲わら等の他の敷料材と混合して、家畜用敷料とすることができる。
本発明においては、家畜用敷料を用いる場所により、敷料用組成物の形態を適宜選択することができる。たとえば、分娩舎や保温箱では粉末状の敷料用組成物を用い、肥育舎では、粉じんの発生を抑制して作業性を向上させるべく、粒状の敷料用組成物の使用割合を増やす等である。
【００２８】
本発明の家畜用敷料における上記敷料用組成物の含有量は、家畜用敷料の全量に対し、好ましくは７０重量％〜１００重量％であり、より好ましくは９０重量％〜１００重量％である。
【００２９】
本発明の家畜用敷料は、家畜全般、たとえばウシ、ブタ、ヒツジ、ヤギ、ウサギ等の食肉用に飼育される哺乳動物；アヒル、ニワトリ、ガチョウ、七面鳥、ウズラ等の食肉用または採卵用に飼育される鳥類；イヌ、ネコ、ハムスター、モルモット、シマリス等の愛玩動物；アルパカ、ウマ、ラバ、ラクダ、ロバ等の労働用に飼育される哺乳動物等に用いることができ、なかでも、食肉用の家畜に好適に用いることができ、特に疾病の予防の必要な分娩期、哺乳期および離乳期の動物、ならびに肥育動物に好適に用いることができる。
【００３０】
本発明の敷料用組成物は、吸湿・吸水性、二酸化炭素、ホルムアルデヒド等揮発性有機化合物に対する吸着性を有し、アンモニア、メチルメルカプタン、硫化水素、硫化メチル、トリメチルアミン等の悪臭原因物質等に対し吸着性を示す。また、優れた抗菌活性および抗ウイルス活性を有する。
従って、かかる敷料用組成物を含有してなる本発明の家畜用敷料は、糞尿等の吸収性、悪臭抑制効果に優れ、家畜の飼育環境の改善に資するとともに、病原性細菌に対する抗菌活性や抗ウイルス活性に優れることから、家畜の疾病の予防効果に優れる。
よって、本発明の家畜用敷料は、分娩舎、保温箱および肥育舎等、疾病予防が最も要求される哺乳期および離乳期の家畜、ならびに離乳後の幼若期の家畜の各飼育施設において、敷料として好ましく使用することができる。
また、本発明の敷料用組成物は、敷料材中の常在菌による堆肥化を妨げるものではないので、本発明の家畜用敷料を堆肥として再利用することも可能である。
【実施例】
【００３１】
次に、実施例により本発明をさらに具体的に説明する。
【００３２】
平均粒子径の測定方法
本明細書に記載した（Ａ）火山噴出物発泡体、および本発明の敷料用組成物の平均粒子径の測定は、以下の方法（篩い分け法）により行った。
電磁式ふるい振とう機（アズワン株式会社製）に標準ふるいを５段〜１０段装着し、試料をふるい振とうすることで分級して、各粒度区分の重量比により測定した。すなわち、標準ふるいを目開きの大きいものを上にして順次重ね、上段に試料２０ｇを入れ１５分間ふるい振とうさせ、各ふるい上に残存する試料の重量を測定し、粒度分布を求めた。
次いで、各ふるい毎に篩い分けられた試料について、試料全量に対する割合（重量％）を算出し、各ふるい毎の前記割合（重量％）を上段から順に足していき、試料重量の割合の合計が５０重量％を超える前の前記合計値（重量％）を[ｄ]、５０重量％を超えた後の前記合計値（重量％）を[ｅ]とし、試料重量の割合の合計が５０重量％を超えない粒子径区分のアンダー値（μｍまたはｍｍ）を[ａ]とする。そして、試料重量の割合の合計が５０重量％を超える粒子径を含む区分を特定し、その粒子径区分のオーバー値（μｍまたはｍｍ）を[ｂ]、アンダー値（μｍまたはｍｍ）を[ｃ]として、下記式（Ｉ）より重量平均粒子径を求めた。
平均粒子径（μｍまたはｍｍ）＝ａ−〔（ｂ−ｃ）×{（５０−ｄ）／ｅ}〕・・・（Ｉ）
【００３３】
［実施例１］家畜用敷料
混合撹拌機（「モルタルミキサー」、株式会社東海機械製作所製）にシラス発泡体（「シラスバルーン」：平均粒子径＝４０μｍ、豊和直株式会社製）１，０００ｇを投入し、次いで水ガラス（「ケイ酸ソーダ３号」、日本化学工業株式会社製）１００ｇを噴霧器で散布しながら混合攪拌し、ポリ袋に入れ密封してから、炭酸ガス３０ｇを注入して反応させて敷料用組成物（平均粒子径＝１００μｍ）を得、家畜用敷料とした。
【００３４】
［実施例２］家畜用敷料
混合撹拌機（「モルタルミキサー」、株式会社東海機械製作所製）にシラス発泡体（「シラスバルーン」：平均粒子径＝１５０μｍ、豊和直株式会社製）１，０００ｇを投入し、次いでケイ酸カリウム水溶液（二酸化ケイ素（ＳｉＯ２）濃度＝２７重量％〜２９重量％、酸化カリウム（Ｋ２Ｏ）濃度＝２１重量％〜２３重量％、日本化学工業株式会社製）１００ｇを噴霧器で散布しながら混合攪拌し、ポリ袋に入れ密封してから、炭酸ガス３０ｇを注入して反応させて敷料用組成物（平均粒子径＝３００μｍ）を得、家畜用敷料とした。
【００３５】
実施例２で得た敷料用組成物について、成分分析を行った結果を表１に示す。また、二酸化炭素吸着性、および揮発性有機化合物としてホルムアルデヒドの吸着性を評価し、結果を図１、２に示した。
成分分析は、鹿児島県工業技術センターに委託し、蛍光Ｘ線分析法（使用機器：「蛍光Ｘ線分析装置  ＲＩＸ−３０００」、株式会社リガク製、検量線法）により行った。なお、表１中に示した強熱減量は、重量分析法（電気マッフル炉（株式会社伊藤製作所製）にて試料を１，０００℃で１時間強熱した際の重量の減少率から算出）により測定した。
二酸化炭素吸着性およびホルムアルデヒド吸着性は、実施例２で得た敷料用組成物１０ｇを試料とし、対照としてケイ酸ナトリウムを用いて、特開２０１３−０６３８６６号公報に記載された方法により評価した。
【００３６】
【表１】
0006444257.tif 000002
【００３７】
表１より、実施例２で得られた敷料用組成物は、二酸化ケイ素および酸化アルミニウムを主成分とするセラミクス組成物であることが示された。
【００３８】
図１および図２に示されるように、実施例２で得られた敷料用組成物には、良好な二酸化炭素吸着性およびホルムアルデヒド吸着性が認められた。
従って、実施例２の家畜用敷料は、家畜の排出する二酸化炭素の吸着、家畜舎におけるホルムアルデヒド等揮発性有機化合物の吸着効果を有し、家畜舎における悪臭の抑制効果が期待できる。
【００３９】
［試験例１］抗菌試験
実施例２の家畜用敷料について、以下の通り大腸菌に対する抗菌試験を実施した。
（１）試験方法
（ｉ）試験菌として、大腸菌（Escherichia coli NBRC 12734）を用いた。
（ｉｉ）試験菌をレシチン・ポリソルベート８０加ソイビーン・カゼイン・ダイジェスト（ＳＣＤＬＰ）ブイヨン培地（栄研化学株式会社製）に接種して３５±１℃で培養し、培養液を約１０７個／ｍＬとなるように滅菌生理食塩水で希釈調製し、菌原液とした。
（ｉｉｉ）１，０００ｍＬのガラスビーカーに、滅菌生理食塩水６００ｍＬを入れ、上記菌原液１ｍＬを添加して、１ｍＬあたりの菌数が約１０４個台となるようにした溶液に、実施例２の家畜用敷料５０ｇを浸漬し、試験液とした。
一方、１，０００ｍＬの共栓メジウム瓶に滅菌生理食塩水６００ｍＬを入れ、上記菌原液１ｍＬを添加して、１ｍＬあたりの菌数が約１０４個台となるようにした溶液を対照液とした。
（ｉｖ）上記試験液および対照液について、混釈培養法により、調製時ならびに、室温で１５分、３０分および６０分静置した後の生菌数を測定した。なお、培養は、標準寒天培地（栄研化学株式会社製）を用い、３５±１℃で２４時間行った。
（２）評価結果
評価結果を下記表２に示した。
【００４０】
【表２】
0006444257.tif 000003
【００４１】
表２において、対照液中の大腸菌は６０分経過後にも全く減少していないのに対し、本発明の実施例２の家畜用敷料を浸漬した試験液では、経時的に大腸菌は減少し、６０分経過後には、調製時の約１／１，０００にまで減少しており、実施例２の飼料用添加剤が大腸菌に対して抗菌活性を有することが認められた。
【００４２】
［試験例２］飼育試験
実施例２で得られた家畜用敷料を用いて、飼育試験を行った。
永徳養豚場（鹿児島県）にて、平成２４年１２月から平成２５年４月まで、実施例２の家畜用敷料を、分娩舎および保温箱のそれぞれに、最初に１，０００ｇずつ敷き、延べ５０頭の母豚とその子豚を離乳までの３０日間飼育、観察した。また、肥育舎にも、最初に１，０００ｇを敷き、離乳から４０日間飼育、観察した。いずれの豚舎においても、家畜用敷料は、減った分だけ随時追加した。
なお、対照群として、延べ２０頭の母豚とその子豚を、家畜用敷料としておが屑を用いた分娩舎および保温箱で離乳までの３０日間飼育、観察した。
【００４３】
実施例２の家畜用敷料使用群、対照群ともにＰＥＤの発生は見られず、死亡率には両群の間に差は見られなかったが、実施例２の家畜用敷料使用群の子豚は、対照群の子豚に比べて明らかに毛づやの良さが目立ち、健康に見えた。
ただし、離乳後は、両群の子豚が、実施例２の家畜用敷料を用いた肥育舎で飼育されたため、肥育日数の長短についてのデータはとれなかった。しかし、毛並みなどの比較から、両群において肥育日数にも明らかに差が生じることが推測された。
【００４４】
［実施例３］家畜用敷料
混合撹拌機（「モルタルミキサー」、株式会社東海機械製作所製）にシラス発泡体（「シラスバルーン」：平均粒子径＝１５０μｍ、豊和直株式会社製）１００Ｋｇを投入し、次いで、２１重量％〜２３重量％ケイ酸カリウム水溶液（日本化学工業株式会社製）３０Ｋｇを添加して混合攪拌し、ポリ袋に入れ密封してから、炭酸ガス３００ｇを注入して反応させ、敷料用組成物（平均粒子径＝３００μｍ）を得、家畜用敷料とした。
【００４５】
実施例３で得られた敷料用組成物１０ｇを、蒸留水５０ｍＬに入れ、３０℃で攪拌し、１時間後にペンタイプｐＨ計（株式会社佐藤計量器製作所製）でｐＨを測定したところ、ｐＨは１２．２であり、本発明の敷料用組成物は、強塩基性を示した。
【００４６】
［試験例３］ＰＥＤ発生状況の観察
実施例３の家畜用敷料を用いて、分娩から授乳期の豚を飼育し、ＰＥＤ発生の状況を観察した。
千葉県成田市のＡ養豚場にて、平成２５年８月から１２月まで、実施例３の家畜用敷料を、分娩舎および保温箱のそれぞれに、最初に１，０００ｇずつ敷き、延べ１００頭の母豚とその子豚１，０６１頭を離乳までの３０日間飼育し、観察した。家畜用敷料は、減った分だけ随時追加した。
【００４７】
本試験を行った期間中、他の養豚場のほとんどでＰＥＤの発生が見られたが、本養豚場で飼育した子豚１，０６１頭には、ＰＥＤの発生は全く見られなかった。
【００４８】
［試験例４］飼育試験
鹿児島県鹿屋市のＢ養豚場にて、平成２５年６月から９月まで、実施例３の家畜用敷料を、分娩舎および保温箱のそれぞれに、最初に１，０００ｇずつ敷き、延べ４０頭の母豚とその子豚４１６頭を離乳までの３０日間飼育し、観察した。家畜用敷料は、減った分だけ随時追加した。
なお、対照群として、延べ２０頭の母豚とその子豚を、家畜用敷料としておが屑を用いた分娩舎および保温箱で、離乳までの３０日間飼育し、観察した。
【００４９】
実施例３の家畜用敷料使用群、対照群ともにＰＥＤの発生は見られず、両群の間で死亡率に差は見られなかった。しかし、実施例３の家畜用敷料使用群では、対照群に比べて、毛つやの良さが際立って認められた。
【００５０】
［試験例５］敷料の堆肥化試験
（１）豚糞尿（永徳養豚場）２０ｋｇに、実施例３にて調製した敷料用組成物（平均粒子径＝３００μｍ）３.６ｋｇ（２０Ｌ）を添加して混合攪拌し、含水率がおおむね６０重量％となるように調整した。前記混合物を１００Ｌのポリ容器に入れて、１日に１回攪拌（スコップで２分）し、６時間後に前記混合物の温度を測定した。また、前記混合物の臭いの変化を観察した。
その結果、混合物の温度は２日目に３６℃に達し、５日目には５７℃になり、１２日目に全く無臭となった。
（２）豚糞尿（永徳養豚場）２０ｋｇに、実施例３にて調製した敷料用組成物（平均粒子径＝３００μｍ）２０ｋｇ添加して混合攪拌し、含水率がおおむね６０重量％となるように調整した。前記混合物を１００Ｌのポリ容器に入れて、１日に１回攪拌（スコップで２分）し、６時間後に前記混合物の温度を測定した。また、前記混合物の臭いの変化を観察した。
その結果、混合物の温度は２日目に３８℃に達し、５日目には５９℃になり、１０日目に全く無臭になった。
【００５１】
上記の結果から、本発明の家畜用敷料は抗菌活性を示すが、通常の条件で家畜の糞尿と混合（たとえば、糞尿：家畜用敷料＝１：０．１〜１：１の重量比で混合）して堆肥化を行う場合には、堆肥化を阻害しないことが認められた。
【００５２】
比較のため、実施例３にて調製した敷料用組成物の代わりにゼオライト、貝化石、シラス、軽石、ボラ土、砂、カオリンの各無機粉体を用いて、上記（１）、（２）と同様に堆肥化試験を行った。
その結果、糞尿と前記無機粉体との混合物では、いずれも経時的な温度の上昇は観察されず、１４日目から腐敗臭が発生し、糞尿の堆肥化は促進されなかった。
【産業上の利用可能性】
【００５３】
以上詳述したように、本発明によれば、大腸菌等の病原性細菌に対する抗菌活性および抗ウイルス活性に優れ、家畜の疾病の予防効果が高く、臭気の抑制効果にも優れる家畜用敷料を、安価かつ簡便に提供することができる。
【図１】
0006444257.tif 000004
【図２】
0006444257.tif 000005